(57)【要約】【課題】  プレキャストコンクリート基礎床版おいて、従来品よりも高荷重の構造物を支えつつも沈下を極力有効に防止する。製作並びに施工を簡便に行えるようにする。【解決手段】  プレキャストコンクリート基礎床版１の床版本体１ａを横長の柱状に形成し、その底面１ｅを長さ方向の中心から両側面へ向けてそれぞれ４５度で傾斜する２つの傾斜面１ｆ，１ｆによってＶ字状に形成する。床版本体１ａの両端部それぞれに交差方向へ突出する張り出し片１ｂを設ける。張り出し片１ｂの底面１ｅを床版本体側へ４５度で傾斜する傾斜面１ｋとする。プレキャストコンクリート基礎床版１を基礎地盤の上に複数並列に並べ、相隣る張り出し片の端面同士を突き合わせ、この突き合わせた張り出し片同士を連結手段を用いて一体に連結する。相隣る基礎床版の間に画成される空間部に間詰め砕石を敷き詰め、転圧を行う。【選択図】図１
2010007379.tif 000002
【特許請求の範囲】
【請求項１】
床版本体を横長の柱状に形成し、
該床版本体の底面を、長さ方向の中心から両側面へ向けてそれぞれ４５度で傾斜するＶ字状に形成し、
前記床版本体の両端部それぞれに交差方向へ突出する張り出し片を設け、該張り出し片の底面を前記床版本体側へ４５度で傾斜する片勾配に形成した
ことを特徴とするプレキャストコンクリート基礎床版。
【請求項２】
床版本体を横長の柱状に形成し、
該床版本体の底面を、一方の側面から他方の側面へ向けて４５度で傾斜する片勾配に形成し、
前記床版本体の両端部それぞれに前記傾斜底面側の側方へ突出する張り出し片を設け、該張り出し片の底面を前記床版本体側へ４５度で傾斜する片勾配に形成した
ことを特徴とするプレキャストコンクリート基礎床版。
【請求項３】
前記プレキャストコンクリート基礎床版の長手方向にＰＣ鋼材を貫通して設け、該ＰＣ鋼材全体を緊張させてプレキャストコンクリート基礎床版にプレストレス力を付与せしめた
ことを特徴とする請求項１または２に記載のプレキャストコンクリート基礎床版。
【請求項４】
前記各張り出し片の一方側と他方側との大きさを異ならしめた
ことを特徴とする請求項１〜３のいずれかに記載のプレキャストコンクリート基礎床版。
【請求項５】
前記床版本体の一端部側に設けられる張り出し片と他端部側に設けられる張り出し片との大きさを異ならしめた
ことを特徴とする請求項１〜３のいずれかに記載のプレキャストコンクリート基礎床版。
【請求項６】
前記請求項１〜５のいずれかに記載のプレキャストコンクリート基礎床版を施工する方法であって、
基礎地盤の上に前記プレキャストコンクリート基礎床版を複数並列に並べて、相隣る張り出し片の端面同士を突き合わせ、この突き合わせた張り出し片同士を連結手段を用いて一体に連結し、
基礎地盤上に設置した相隣るプレキャストコンクリート基礎床版の間に画成される空間部に間詰め砕石を敷き詰めたのち、転圧を行う
ことを特徴とするプレキャストコンクリート基礎床版の施工方法。
【請求項７】
前記請求項１〜５のいずれかに記載のプレキャストコンクリート基礎床版を施工する方法であって、
基礎地盤の上に前記プレキャストコンクリート基礎床版を複数直列に並べて、相隣る張り出し片の外側面同士を突き合わせ、この突き合わせた張り出し片同士を連結手段を用いて一体に連結し、
基礎地盤上に設置した前記プレキャストコンクリート基礎床版の周囲に砕石を敷き詰めたのち、転圧を行う
する
ことを特徴とするプレキャストコンクリート基礎床版の施工方法。
【請求項８】
前記請求項２〜５のいずれかに記載のプレキャストコンクリート基礎床版を施工する方法であって、
前記プレキャストコンクリート基礎床版の上に設置される構造物が横置きの柱状であり、
前記プレキャストコンクリート基礎床版を、前記床版本体が前記構造物の下面両側縁の内外に跨って位置するよう基礎地盤上に並列に配置するとともに、相隣る２個のプレキャストコンクリート基礎床版は前記張り出し片同士を突き合わせて１組とし、
基礎地盤上に設置した相隣るプレキャストコンクリート基礎床版の間に画成される空間部に間詰め砕石を敷き詰めたのち、転圧を行う
ことを特徴とするプレキャストコンクリート基礎床版の施工方法。
【発明の詳細な説明】
【技術分野】
【０００１】
本発明は、トンネルや水路等に用いられるボックスカルバートや大型ボックスカルバート，比較的土被りの大きいアーチカルバート，偏芯荷重が地盤に作用するＬ形プレキャスト擁壁，道路，建物等の構造物の下側に、これら構造物の沈下防止を目的に用いられるプレキャストコンクリート基礎床版に関する。
【背景技術】
【０００２】
トンネルや水路，橋梁，擁壁，道路，建物等の重量のある構造物を構築する際に、構造物が経年変化で沈下したり傾かないよう、地盤の基本構成部材としてプレキャストコンクリート基礎床版が広く使用されている。
例えば、扁平上盤の下部に円錐形胴体と該胴体の下部中心に円柱形軸脚を設けてコマ型ブロックを成型し、このコマ型ブロックを多数少くとも一段に地表層に布設し、コマ型ブロックの自重およびコマ型ブロックが受ける垂直荷重と、円錐形胴体および円柱形軸脚に生ずる反力および摩擦抵抗との総合力とを均衡せしめ、コマ型ブロックを用いて不同沈下のない水平地耐力を発揮する基盤を形成する地表層の強化安定方法が知られている（例えば、特許文献１参照）。
【０００３】
さらに、扁平上盤の下部に円錐形または角柱形の胴体を設け、該胴体の下部中心部に円柱形または角柱形の軸脚を設けたコマ型ブロックを、縦２個及び横２個ずつ扁平上盤同士を連結して一体成型してなる四連型のコマ型ブロック集合体、または該コマ型ブロックを縦２個及び横３個ずつ扁平上盤同士を連結して一体成型してなる六連型のコマ型ブロック集合体を基礎構成単位として使用し、該コマ型ブロック集合体を扁平上盤同士を相当接させて縦横に配列し、隣り合うコマ型ブロック集合体の対面するコマ型ブロックの軸脚同士を縦列と横列のいずれにおいても下部連結部材によって相互に固着し、隣り合うコマ型ブロック集合体の対面するコマ型ブロックの扁平上盤同士を縦列と横列のいずれにおいても上部連結部材によって相互に固着したコマ型ブロック集合体による基礎構造や（例えば、特許文献２参照）、布基礎で囲まれる所定の形状に相応させ、かつその形状より若干小さく形成されたプレキャストコンクリート基礎床版本体と、前記プレキャストコンクリート基礎床版本体の所定位置に貫通形成されたコンクリート打設用の開口部とを備えプレキャストコンクリート基礎床版が提案されている（例えば、特許文献３参照）。
【０００４】
【特許文献１】特公昭５６−５００５４号公報
【特許文献２】特願平１０−２６６２２９号公報
【特許文献３】特開平７−１６６５５９号公報
【発明の開示】
【発明が解決しようとする課題】
【０００５】
上記特許文献１，２は、コマ型ブロックと呼ばれるプレキャストコンクリート基礎床版であるが、単品のコマ型ブロックを地盤に１つずつ敷き並べる特許文献１では、構造物からの荷重によって一部のコマ型ブロックが地盤に沈み込む不同沈下が特許文献１〜３の中で最もおこりやすく、また多大な施工時間がかかるばかりか、コマ型ブロックの間隔が僅かであることから間詰め砕石が入らないか、入っても転圧をかけることができないために、コマ型ブロックを地盤に安定して設置することが困難である。
【０００６】
特許文献２は、コマ型ブロックを４連や６連につないでブロック集合体とするため、特許文献１よりは不同沈下がおこりにくいものの、コマ型ブロックの間に間詰め砕石が入らないか、入っても転圧をかけることができないために、ブロック集合体を地盤に安定して設置することが困難であることは特許文献１と同様である。さらに、ブロック集合体とするためには、コマ型ブロックを１つずつつなぎ合わせという多大な作業工数を要するため、不利である。
【０００７】
特許文献３のプレキャストコンクリート基礎床版は断面が平板状であるため、構造物の荷重が全てプレキャストコンクリート基礎床版にかかることになり、地盤が軟弱な場合には、構造物とプレキャストコンクリート基礎床版とが一体に沈下してしまう虞がある。
【０００８】
本発明は、かかる実情を背景にしてなされたもので、その目的とするところは、従来品よりも高荷重の構造物を支えつつも沈下を極力有効に防止し、また製作並びに施工を簡便に行うことのできるプレキャストコンクリート基礎床版とこのプレキャストコンクリート基礎床版の施工方法を提供することにある。
【課題を解決するための手段】
【０００９】
上述の目的にしたがって、本発明のプレキャストコンクリート基礎床版は、床版本体を横長の柱状に形成し、該床版本体の底面を、長さ方向の中心から両側面へ向けてそれぞれ４５度で傾斜するＶ字状に形成し、前記床版本体の両端部それぞれに交差方向へ突出する張り出し片を設け、該張り出し片の底面を前記床版本体側へ４５度で傾斜する片勾配に形成したことを特徴としている。
【００１０】
このプレキャストコンクリート基礎床版は、床版本体を横長の柱状に形成し、該床版本体の底面を、一方の側面から他方の側面へ向けて４５度で傾斜する片勾配に形成し、前記床版本体の両端部それぞれに前記傾斜底面側の側方へ突出する張り出し片を設け、該張り出し片の底面を前記床版本体側へ４５度で傾斜する片勾配に形成してもよい。
【００１１】
また、本発明のプレキャストコンクリート基礎床版の長手方向にＰＣ鋼材を貫通して設け、該ＰＣ鋼材全体を緊張させてプレキャストコンクリート基礎床版にプレストレス力を与えるようにしてもよい。
各張り出し片の一方側と他方側との大きさを異ならせてもよく、床版本体の一端部側に設けられる張り出し片と他端部側に設けられる張り出し片との大きさを異ならせてもよい。
【００１２】
本発明のプレキャストコンクリート基礎床版を用いた施工方法では、基礎地盤プレキャストコンクリート基礎床版を複数並列に並べて、相隣る張り出し片の端面同士を突き合わせ、この突き合わせた張り出し片同士を連結手段を用いて一体に連結し、基礎地盤上に設置した相隣る基礎床版の間に画成される空間部に間詰め砕石を敷き詰めたのち、転圧を行う。
【００１３】
本発明のプレキャストコンクリート基礎床版を用いた他の施工方法では、基礎地盤の上に前記プレキャストコンクリート基礎床版を複数直列に並べて、相隣る張り出し片の外側面同士を突き合わせ、この突き合わせた張り出し片同士を連結手段を用いて一体に連結し、基礎地盤上に設置したプレキャストコンクリート基礎床版の周囲に砕石を敷き詰めたのち、転圧を行う。
【００１４】
また、本発明のプレキャストコンクリート基礎床版を用いたさらに他の施工方法では、前記請求項２〜５のいずれかの発明に記載のプレキャストコンクリート基礎床版を使用し、前記プレキャストコンクリート基礎床版の上に設置される構造物が横置きの柱状であって、前記プレキャストコンクリート基礎床版を、前記床版本体が前記構造物の下面両側縁の内外に跨って位置するよう基礎地盤上に並列に配置するとともに、相隣る２個のプレキャストコンクリート基礎床版は前記張り出し片同士を突き合わせて１組とし、基礎地盤上に設置した相隣るプレキャストコンクリート基礎床版の間に画成される空間部に間詰め砕石を敷き詰めたのち、転圧を行う。
【００１５】
本発明のプレキャストコンクリート基礎床版は、床版本体の底面を４５度ずつカットした断面９０度のＶ字状、または４５度の片勾配に形成するため、構造物からの荷重が鉛直方向と水平方向とに二分され、その合力が斜め下４５度方向に作用する。これにより、基礎地盤への設置面積が底面が平らなものよりも広くなり、しかも底面は傾斜面であることから基礎地盤との間に摩擦抵抗を生じて鉛直方向の荷重が減少するので、地盤反力が低減する。下面を片勾配とした張り出し片でも床版本体と同様の荷重分散効果を奏する。
なお、本発明のプレキャストコンクリート基礎床版は、床版本体と張り出し片の底面を４５度以外の傾斜角とすることを妨げない。
【００１６】
このような荷重分散効果は、従来のコマ型ブロックにも認められるが、当該コマ型ブロックでは、荷重分散効果を奏する傾斜底面が外周面の面積で決められてしまうのに対して、本発明のプレキャストコンクリート基礎床版は、床版本体の長さと張り出し片の張り出し長さが自由に設定できるので、傾斜底面積を大きく取れる。
特に、上部に設置される構造物が、トンネルや道路，水路，Ｌ形プレキャスト擁壁，道路といった長大な長さを持つものが対象であるから、柱形状を基本とする本発明のプレキャストコンクリート基礎床版では傾斜底面積が大きく確保できる。したがって、荷重を分散する傾斜底面積が充分な本発明のプレキャストコンクリート基礎床版では、単位面積あたりの荷重負担が少なくなるので、従来のコマ型ブロックよりも沈み込みが少ない。
【００１７】
床版本体の両端部から交差方向に突出する張り出し片は、プレキャストコンクリート基礎床版を基礎地盤に設置する際に方向を決めたり位置決めするのに役立つ。さらに張り出し片は、複数のプレキャストコンクリート基礎床版を直列及び／または並列に連結するのに役立つ。
張り出し片はさらに、隣り合う張り出し片の端面同士を突き合わせ、この突き合わせた張り出し片同士を連結手段を用いて複数のプレキャストコンクリート基礎床版を並列に連結した場合に、隣り合うプレキャストコンクリート基礎床版の間に間詰め砕石を充填するための空間部を画成する。
【００１８】
また、本発明のプレキャストコンクリート基礎床版は、プレキャスト成形後のプレキャストコンクリート基礎床版の内部にＰＣ鋼材を張設して予めプレストレスを付与してもよい。これにより、プレキャストコンクリート基礎床版の強度がアップし、クラックが生じにくくなる。プレキャストコンクリート基礎床版へのプレストレスの付与は、複数を直列もしくは並列に連結する際に連結手段としてＰＣ鋼材をプレキャストコンクリート基礎床版に掛け渡し、ＰＣ鋼材に張力を付与することにより、連結されるコンクリート基礎床版の相互間にプレストレスが付与される。
【００１９】
さらにプレキャストコンクリート基礎床版は、本来、構造物の下側に沈下防止を目的に用いられるが、本発明のプレキャストコンクリート基礎床版は、建屋の布基礎や基礎コンクリートの代わりに使用することが可能である。布基礎や基礎コンクリートはコンクリートを現場打ちするため、一定の養生期間が必要であるが、本発明のプレキャストコンクリート基礎床版を布基礎や基礎コンクリートの代用とすることにより、現場打設による養生期間が不要となり、工期の大幅な短縮が可能となる。
【００２０】
床版本体の底面を４５度の片勾配に形成したプレキャストコンクリート基礎床版は、特に建屋やビル等の建築物に適している。構造物が建築物である場合に、プレキャストコンクリート基礎床版は、床版本体底面の勾配を構造物の内側に向けながら、床版本体が柱状の布基礎やコンクリート基礎，土台と同位置となるようこれらの下に沿って配置することが好ましい。したがって、プレキャストコンクリート基礎床版は、一般的に格子状に組まれることが多い。建屋やビル等の建築物の場合に、プレキャストコンクリート基礎床版格子状に組んだまま、連結しないほうが地震等の揺れにフレキシブルに対応ができるが、建築物や基礎地盤の条件に応じてプレキャストコンクリート基礎床版同士をボルトやＰＣ鋼材で連結することも妨げない。
【００２１】
本発明のプレキャストコンクリート基礎床版において、各張り出し片の一方側と他方側とで大きさを変えたり、床版本体の一端部側に設けられる張り出し片と他端部側に設けられる張り出し片とで大きさを変えてもよい。本発明でいう大きさの変更とは、幅，長さ，高さ，体積のいずれか１つまたは複数を組み合わせて異ならせるものであり、例えば、各張り出し片の一方側と他方側とで張り出し長さを変えてもよく、あるいは床版本体一端部側の張り出し片と他端部側の張り出し片の幅（床版本体長さ方向の長さ）を変えてもよい。
本発明のプレキャストコンクリート基礎床版は、複数個を連結手段で直列及び／または並列に連結して用いることができる。連結手段として連結ボルトやＰＣ鋼材が適当である。
【００２２】
プレキャストコンクリート基礎床版の上に設置される構造物が横置きの柱状の場合、例えば家屋の布基礎やビルのコンクリート基礎が構造物の場合には、床版本体底面が片勾配で、張り出し片が一側方のみのプレキャストコンクリート基礎床版を使用し、このプレキャストコンクリート基礎床版を、床版本体が前記構造物の下面両側縁の内外に跨って位置するよう基礎地盤上に並列に配置するとともに、相隣る１組のプレキャストコンクリート基礎床版は張り出し片同士を突き合わせて用いる。布基礎やビルのコンクリート基礎から荷重は、これらの下に並行に設けられた双方のプレキャストコンクリート基礎床版に伝達され、さらに、床版本体底面の傾斜面から互いに荷重を減少しながら内向きの下斜め４５度方向にバランスして作用していく。
【発明の効果】
【００２３】
本発明のプレキャストコンクリート基礎床版によれば、構造物からの荷重がプレキャストコンクリート基礎床版によって分散され、また、基礎地盤への設置面積が底面が平らなものよりも広くなり、さらに底面は傾斜面であることから基礎地盤との間に摩擦抵抗を生じて鉛直方向の荷重が減少するので、地盤反力が低減する。これにより、従来のプレキャストコンクリート基礎床版に較べて高荷重の構造物を支えつつも、沈下、特に不同沈下を極力有効に防止することができる。
さらに本発明のプレキャストコンクリート基礎床版は、構造物を設置する際のレベリングの役割も果たす。また、本発明のプレキャストコンクリート基礎床版は、構造が簡単であるから製作性や搬送性に優れ、さらに現場での施工期間の短縮と作業性の向上が図れる。
【００２４】
また、複数のプレキャストコンクリート基礎床版を直列及び／または並列に連結して用いることも可能で、プレキャストコンクリート基礎床版を複数一体に連結することにより、より高荷重の構造物を支えながら沈下を有効に防止することができる。プレキャストコンクリート基礎床版を並列に連結には、隣り合うプレキャストコンクリート基礎床版の間に空間部が画成され、この空間部に間詰め砕石を敷き詰めて転圧をかけることにより、プレキャストコンクリート基礎床版と砕石とが一体となって盤構造を形成する。これにより、プレキャストコンクリート基礎床版を沈下なく安定して設置でき、また強度アップのために基礎コンクリートを現場打ちする必要がないので、施工性と経済性にも優れたものとなる。
【００２５】
さらに、プレキャストコンクリート基礎床版の長手方向にＰＣ鋼材を貫通して設け、このＰＣ鋼材全体を張設してプレキャストコンクリート基礎床版にプレストレス力を与えることにより、プレキャストコンクリート基礎床版全体の強度が増すので、より高重量の構造物を堪えるようになる。
また、設置構造物が布基礎やビルのコンクリート基礎等の場合には、床版本体底面を片勾配としたプレキャストコンクリート基礎床版を２個１組として並列に使用することが適当であり、家屋やビル等の荷重が設置構造物を通してプレキャストコンクリート基礎床版に作用した場合に、床版本体底面の傾斜面が荷重を小さくバランスよく分散して支えるので、高荷重にもよく堪える。
【発明を実施するための最良の形態】
【００２６】
以下、本発明の実施例を図面に基づいて説明する。
図中、図１〜図５は本発明の第１実施例を示すもので、図１はプレキャストコンクリート基礎床版の斜視図、図２は同じくプレキャストコンクリート基礎床版を中間省略した正面図、図３は同じくプレキャストコンクリート基礎床版の断面図、図４は複数個のプレキャストコンクリート基礎床版を連結ボルトで並列及び直列に連結して基礎地盤に設置した状態の平面図、図５は図４のＶ−Ｖ断面図である。
図６及び図７は本発明の第２実施例を示すもので、図６はＰＣ鋼材を用いてプレストレスを付与したプレキャストコンクリート基礎床版の斜視図、図７は同じくプレキャストコンクリート基礎床版の一部断面平面図である。図８は本発明の第３実施例を示し、ＰＣ鋼材を用いて２個のプレキャストコンクリート基礎床版を直列に連結した状態の斜視図である。図９は本発明の第４実施例を、図１０は本発明の第５実施例をそれぞれ示すもので、図９，図１０はそれぞれプレキャストコンクリート基礎床版の平面図である。図１１及び図１２は本発明の第６実施例を示し、図１１はプレキャストコンクリート基礎床版の斜視図、図１２はプレキャストコンクリート基礎床版の要部断面図である。
【００２７】
また、図１３〜図２３は上記第１実施例のプレキャストコンクリート基礎床版を用いた施工例を示すもので、図１３〜図１５のそれぞれはプレキャストコンクリート基礎床版を大型カルバートボックスの施工に適用した断面正面図、図１６〜図１８のそれぞれはプレキャストコンクリート基礎床版をアーチカルバートの施工に適用した断面正面図、図１９，図２０はそれぞれプレキャストコンクリート基礎床版をＬ形プレキャスト擁壁の施工に適用した断面正面図、図２１はプレキャストコンクリート基礎床版を家屋の施工に適用した断面正面図、図２２は同じくプレキャストコンクリート基礎床版を家屋の施工に適用した平面図、図２３はプレキャストコンクリート基礎床版を家屋の施工に適用した断面図である。
なお、各実施例に共通の構成については同一符号を付すものとし、第１実施例で説明した構成については、第２実施例以降での詳細な説明を省略する。
【００２８】
図１〜図５の第１実施例に示すプレキャストコンクリート基礎床版１は、横長で柱状の床版本体１ａと、該床版本体１ａの両端部それぞれに交差方向へ突出する張り出し片１ｂ，１ｂとからなっており、その全体を工場等でプレキャストコンクリートによって成形する。床版本体１ａは、上面１ｃ及び側面１ｄ，１ｄとＶ字状の底面１ｅとからなる野球のホームベースのごとき断面五角形に形成されている。底面１ｅは、床版本体１ａの長さ方向の中心から両側面１ｄ，１ｄへ向けてそれぞれ４５度で傾斜する傾斜面１ｆ，１ｆで形成されており、これにより床版本体１ａの底面形状は角度の９０度のＶ字状となっている。
【００２９】
張り出し片１ｂ，１ｂの断面形状は、上面１ｇと側面１ｈ，１ｉ及び片勾配の底面１ｊとからなっており、この底面１ｊは、床版本体１ａ側の側面１ｉへ向けて４５度で傾斜する傾斜面１ｋとなっている。なお、床版本体１ａの下縁となる底面１ｅの傾斜面１ｆ，１ｆの突き合わせ面と、張り出し片１ｂ，１ｂの底面１ｊの下縁をとがらせると保管や搬送あるいは施工の際に欠けを生じる虞があるため、若干の平面を残して形成することが望ましい。
【００３０】
図４，図５は、上記図１〜図３に示したプレキャストコンクリート基礎床版１を６個用いて、連結ボルトで並列及び直列に連結して基礎地盤に設置した施工状態を示しており、図４の平面図に示すように、プレキャストコンクリート基礎床版１の成形時に、該基礎床版１の両端部上面と張り出し片１ｂ，１ｂの両端部上面とに予め接続用の凹部２を形成し、この凹部２にコ字形のブラケット３を埋設しておく。
【００３１】
そして、プレキャストコンクリート基礎床版１を並列に連結するには、基礎地盤４の上にプレキャストコンクリート基礎床版１，１を横並び配置し、相隣る張り出し片１ｂ，１ｂの端面１ｍ．１ｍとブラケット３，３同士をそれぞれ突き合わせ、この突き合わせしたブラケット３，３同士を連結ボルトを連結手段５として用いて一体に連結する。この連結により、床版本体１ａ，１ａと張り出し片１ｂ，１ｂとに囲まれる長方形の空間部６が画成され、この空間部６に砕石７を敷き詰める。
【００３２】
また、プレキャストコンクリート基礎床版１を直列に連結するには、基礎地盤４の上にプレキャストコンクリート基礎床版１，１を縦並び配置し、相隣る張り出し片１ｂ，１ｂの外側の側面１ｈ，１ｈとブラケット３，３同士をそれぞれ突き合わせ、この突き合わせしたブラケット３，３同士を連結手段５である連結ボルトを用いて一体に連結したのち、その周囲に砕石７を充填する。
空間部６の間詰め砕石７や、プレキャストコンクリート基礎床版１周囲の砕石７は、各プレキャストコンクリート基礎床版１の床版本体１ａと張り出し片１ｂ，１ｂの底面１ｅ，１ｊ下側に入り込み、ローラ等を用いた転圧をおこなうことにより、プレキャストコンクリート基礎床版１とともに盤構造を構成する。
【００３３】
図４，図５において、上述のように基礎地盤４上に設置したプレキャストコンクリート基礎床版１には、その上に設置されるボックスカルバートやアーチカルバート，建物等の構造物から荷重Ｐ１が作用する。この荷重Ｐ１は、プレキャストコンクリート基礎床版１の床版本体１ａと張り出し片１ｂ，１ｂの底面１ｅ，１ｊの４５度の傾斜面１ｆ，１ｆ，１ｋによって鉛直方向と水平方向と二分され、これらの合力である荷重Ｐ２が構造物からの荷重Ｐ１の半分となって傾斜面１ｆ，１ｋから直交方向（斜め外方向）へ作用する。このように、構造物からの荷重Ｐ１は、本来基礎地盤４へ鉛直方向に直接作用する荷重が側方へ逸れて軽減されるため、プレキャストコンクリート基礎床版１の沈み込みが有効に抑制される。
【００３４】
図６，図７に示す第２実施例のプレキャストコンクリート基礎床版１０は、上記図１〜図５に用いたプレキャストコンクリート基礎床版１を原形とし、該基礎床版１と同様に工場等で製造する際に、プレキャストコンクリート基礎床版１０の全長方向にＰＣ鋼材１１を埋設し、このＰＣ鋼材１１に緊張力を持たせることにより、プレキャストコンクリート基礎床版にプレストレス力を付与している。
ＰＣ鋼材１１には、例えば、複数本の細いＰＣ鋼線を撚ったＰＣ鋼撚り線の表面にポリマー材等の潤滑性皮膜をコーティングしたアンボンドＰＣ鋼撚り線を用い、プレキャストコンクリート基礎床版１０を前述のようにプレキャストコンクリートで成形する際に、このアンボンドＰＣ鋼撚り線をＰＣ鋼材１１として混練したコンクリート中に埋設しておき、このコンクリートがプレキャストコンクリート基礎床版１０として所定の強度に硬化したのち、張り出し片１ｂ，１ｂの側面１ｈ，１ｈに形成した角形凹部１２，１２へ突出するＰＣ鋼材１１の両端部にワッシャやボルト，ナット等の係止手段１３を係着し、該係止手段１３にてＰＣ鋼材１１を硬化したコンクリートを残して牽引し、ＰＣ鋼材１１のそれぞれを緩みなく緊張する。
プレストレスを持たせたこのプレキャストコンクリート基礎床版１０は、より高荷重の構造物を支えるのに適している。
【００３５】
図８に示す第３実施例のプレキャストコンクリート基礎床版２０は、上記図１〜図５に用いたプレキャストコンクリート基礎床版１を原形とし、該基礎床版１と同様に工場等で製造する際に、その全長に亘って予め貫通孔（図示せず）を穿設しておき、施工現場にて複数のプレキャストコンクリート基礎床版２０を直列に連結する際に、これらの貫通孔に連結手段としてＰＣ鋼材２１を挿通し、このＰＣ鋼材２１を緊張させることにより、複数のプレキャストコンクリート基礎床版２０を直列に連結すると同時にプレストレス力を付与する。
【００３６】
図９の第４実施例に示すプレキャストコンクリート基礎床版３０のそれぞれは、各張り出し片１ｂの一方側の突出長さＬ１を他方側の突出長さＬ２よりも長く設定している。
これにより、２つのプレキャストコンクリート基礎床版３０，３０を同じ向きで並列に並べた場合（図９の中央と右側）には、張り出し片１ｂ，１ｂの突出長さＬ１，Ｌ２が突き合わされるので、床版本体１ａ，１ａ間のピッチＬ３が広くなり、両プレキャストコンクリート基礎床版３０，３０間に画成される間詰め砕石充填用の空間部３１も大きなものとなる。
【００３７】
また、２つのプレキャストコンクリート基礎床版３０，３０を逆向きで並列に並べた場合（図９の中央と左側）には、張り出し片１ｂ，１ｂの突出長さＬ２，Ｌ２が突き合わされるので、床版本体１ａ，１ａ間のピッチＬ４が狭くなり、両プレキャストコンクリート基礎床版３０，３０間に画成される間詰め砕石充填用の空間部３２も小さく限定される。
床版本体１ａ，１ａのピッチが離間する前者の並べ方は、構造物からの荷重が比較的低いものに適し、また床版本体１ａ，１ａのピッチが狭い後者の並べ方は、構造物からの荷重が比較的高いものに適している。
【００３８】
図１０の第５実施例に示すプレキャストコンクリート基礎床版４０は、一方の張り出し片１ｂが、通常のプレキャストコンクリート基礎床版１の張り出し片１ｂと同じ幅Ｗ１であるのに対し、他方の張り出し片１ｎの幅Ｗ２をその２倍に設定している。
これにより、通常のプレキャストコンクリート基礎床版１と本実施例のプレキャストコンクリート基礎床版３１の張り出し片１ｂ，１ｂを突き合わせて直列に連結した場合に、張り出し片１ｂ，１ｂの接合幅Ｗ３と他方の張り出し片１ｎの幅Ｗ２とが同一となる。
【００３９】
このように、本実施例のプレキャストコンクリート基礎床版４０は、通常のプレキャストコンクリート基礎床版１と組み合わせすることによって、直列で連結する際の張り出し片がすべて同じ幅になり、すなわち設置面積が他のプレキャストコンクリート基礎床版１と同様に均等になるので、構造物からの荷重を安定して支持できる。このように、本実施例のプレキャストコンクリート基礎床版４０は、直列連結の端部に用いるのに適している。
【００４０】
図１１及び図１２に示す第６実施例に示すプレキャストコンクリート基礎床版４５は、柱状の床版本体１ｐとその両端部に底版傾斜方向へ突出する張り出し片１ｒ，１ｒとからなっており、前記床版本体１ｐの底面１ｑを片勾配とし、張り出し片１ｒの突出を底面１ｑの傾斜方向のみの片側とした点で、図１〜図５の第１実施例に示したプレキャストコンクリート基礎床版１と異なっている。
床版本体１ｐの底面１ｑは、一方の側面１ｓの中間部から他方の側面１ｔの下端へ向けて４５度で傾斜する傾斜面１ｕで形成して、床版本体１ｐの底面形状を角度４５度の片勾配とし、さらに傾斜面１ｕ側へのみ突出する張り出し片１ｒの底面１ｖの床版本体傾斜面側を、４５度で傾斜する傾斜面１ｗに形成して張り出し片１ｒの底面形状も角度４５度の片勾配としたもので、本実施例のプレキャストコンクリート基礎床版４５は、図２１〜図２３を用いた事例で後述するように、建屋やビル等の建築物の下に用いるのに適している。
【００４１】
次に、本発明のプレキャストコンクリート基礎床版を用いた各種施工例を図１３〜図２３に基づいて説明する。なお、これらの施工には、基本形態であるプレキャストコンクリート基礎床版１で説明するが、その他のプレキャストコンクリート基礎床版１０，２０，３０，４０のいずれを用いてもよいことはもちろんである。
【００４２】
図１３は、地下通路やトンネル等に用いるカルバートボックスの施工例を示しており、プレキャストコンクリート基礎床版１は、大型カルバートボックス５０の構成の中で荷重が最も大きく作用する左右の側壁ブロック５２，５２を支承すべく、基礎地盤５６の左右に２個ずつ並列に設置される。
カルバートボックス５０は、プレキャストコンクリートを用いて工場等で成形された頂版ブロック５１と左右の側壁ブロック５２，５２と底版ブロック５３とを組み立てて組立枠体５４を構成し、この組立枠体５４をプレキャストコンクリート基礎床版１上に横方向に複数並べて構成されるもので、カルバートボックス５０の内側には地下通路やトンネルとなる内部空間５５が画成される。
【００４３】
プレキャストコンクリート基礎床版１は、所定レベルに整地した基礎地盤５６の上に左右２個ずつ並列に設置され、さらに地下通路やトンネルとして足りる長さ分直列にも連結される。そして、左右で相隣るプレキャストコンクリート基礎床版１，１間の空間部５７や、左右間のプレキャストコンクリート基礎床版１，１の間に広がる大きな空間部５８とに砕石７を敷き詰める。砕石７の一部は、各プレキャストコンクリート基礎床版１の傾斜した底面１ｅ，１ｊの下側に入り込む。しかるのち、砕石７に転圧をかけることにより、プレキャストコンクリート基礎床版１，１と砕石７とが一体となった盤構造が構成される。
【００４４】
側壁ブロック５２の下端には脚片５２ａが横方向に突出しており、プレキャストコンクリート基礎床版１，１は、この脚片５２ａを支承すべく設置される。側壁ブロック５２には、頂版ブロック５１の荷重のほか、土被り荷重が大きく作用し、これらの荷重が側壁ブロック５２を通してプレキャストコンクリート基礎床版１，１に伝達されるが、プレキャストコンクリート基礎床版１，１はこれを傾斜した底面１ｅ，１ｊで効率よく分散してよく堪える。
基礎地盤５６に設置された各プレキャストコンクリート基礎床版１は、地下通路やトンネル等として横並びに配設された複数の組立枠体５４を同時に支える構造であるため、一部の組立枠体５４から過大な荷重が作用したとしても不同沈下を有効に防止するほか、構造物としてのカルバートボックス５０を設置する際のレベリングの役割をも果たす効果がある。
【００４５】
図１４は、上記図１３で示したカルバートボックス５０よりも大型のカルバートボックス６０の施工例を示している。この大型カルバートボックス６０は、頂版ブロック６１と左右の側壁ブロック６２，６２と底版ブロック６３とを組立枠体６４として組み立て、この組立枠体６４を複数横並びに連結して構成されるもので、プレキャストコンクリート基礎床版１は、側壁ブロック６２の脚片６２ａの下側に２個と、底版ブロック６３の端部下側に１つが位置するよう、３個並列に配置される。
【００４６】
図１５は、上記図１４で示したカルバートボックス６０よりもさらに大型のカルバートボックス７０の施工例を示している。この超大型カルバートボックス７０は、頂版ブロック７１と左右の側壁ブロック７２，７２と底版ブロック７３とを組立枠体７４として組み立て、この組立枠体７４を複数横並びに連結して構成されるもので、プレキャストコンクリート基礎床版１は、超大型カルバートボックス７０の幅方向全体を支持すべく、両側壁ブロック７２，７２の脚片７２ａ，７２ａの下側と底版ブロック７３の下側全体に複数並列で設置される。
【００４７】
図１６は、比較的軽量なアーチカルバート８０の施工例を示している。このアーチカルバート８０は、アーチ状の頂版ブロック８１と上向きコ字状の底版ブロック８２とを上下に突き合わせて組立枠体８３とし、この組立枠体８３を複数横並びに連結して構成されるもので、プレキャストコンクリート基礎床版１は、アーチカルバート８０の外側端を支持すべく、底版ブロック８２の下面外側に１列で配置される。
【００４８】
図１７は、上記図１６で示したアーチカルバート９０よりも土被りの大きいアーチカルバート９０の施工例を示している。このアーチカルバート９０は、アーチ状の頂版ブロック９１と上向きコ字状の底版ブロック９２とを上下に突き合わせて組立枠体９３とし、この組立枠体９３を複数横並びに連結して構成されるもので、プレキャストコンクリート基礎床版１は、アーチカルバート９０の外側を支持すべく、底版ブロック８２の下面外側にそれぞれ２列で配置される。
【００４９】
図１８は、上記図１７で示したアーチカルバート９０よりもさらに土被りの大きいアーチカルバート１００の施工例を示している。この大型アーチカルバート１００は、アーチ状の頂版ブロック１０１と上向きコ字状の底版ブロック１０２とを上下に突き合わせて組立枠体１０３とし、この組立枠体１０３を複数横並びに連結して構成されるもので、プレキャストコンクリート基礎床版１は、大型アーチカルバート１０１の幅方向全体を支持すべく、底版ブロック１０２の下面全体に複数並列で配置される。
【００５０】
図１９は、Ｌ形プレキャスト擁壁１１０の施工例を示している。このＬ形プレキャスト擁壁１１０は、縦方向の擁壁版１１０ａの下端に一側方へ突出する底版１１０ｂを一体に備えており、プレキャストコンクリート基礎床版１は、土圧荷重がモーメントとして最も大きく作用する底版１１０ｂの下面外側に１列で配置される。
図２０は、上記図１９で示したＬ形プレキャスト擁壁１１０よりも大型のＬ形プレキャスト擁壁１２０の施工例を示している。大型のＬ形プレキャスト擁壁１２０は、縦方向の擁壁版１２０ａの下端に一側方へ突出する底版１２０ｂを一体に備えており、プレキャストコンクリート基礎床版１は、大きな土圧荷重がモーメントとして最も大きく作用する底版１１０ｂの下面外寄りに２列で配置される。
【００５１】
図２１〜図２３は、前記図１１及び図１２の第６実施例で示したプレキャストコンクリート基礎床版４５を用いて建屋１３０を施工する事例を示している。なお、本実施例を以下に説明するにあたり、図１１，図１２に用いた符号を適宜参酌する。
図２２に示すように、２個のプレキャストコンクリート基礎床版４５，４５を１組として、張り出し片１ｒ，１ｒ同士を向かい合わせに突き合わせて並列に組み合わせ、この組み合わせ体を建屋用の布基礎１３１に合わせて４つの矩形枠を形成するよう基礎地盤１３２の上に縦横に設置している。各プレキャストコンクリート基礎床版４５は枠状に組まれるが、相互には連結関係を持たせず自由に動けるようにしてあり、地震等の揺れにフレキシブルに対応できるようにしている。
図２３に示すように、組み合わせ体を構成する１組のプレキャストコンクリート基礎床版４５，４５は、床版本体１ｐ，１ｐの傾斜底面１ｑ，１ｑを互いに向き合わせながら、建屋用の布基礎１３１の下側に連続する幅広の底版１３１ａの側縁１３１ｂ，１３１ｂを床版本体１ｐ，１ｐの上面ほぼ中央に位置させ、該床版本体１ｐ，１ｐが底版１３１ａの側縁１３１ｂ，１３１ｂの内外に跨って位置するよう基礎地盤１３２上に並列に配置される。
【００５２】
基礎地盤１３２上に設置された２個のプレキャストコンクリート基礎床版４５，４５の間には空間部１３２が画成され、これらの空間部１３２に間詰め砕石７を敷き詰めると、砕石７の一部は、各プレキャストコンクリート基礎床版４５の傾斜した底面１ｇ，１ｖの下側に入り込む。しかるのち、砕石７に転圧をかけてプレキャストコンクリート基礎床版４５と砕石７を一体化した盤構造とする。
布基礎１３１は、このように設置されたプレキャストコンクリート基礎床版４５，４５の床版本体１ｐ，１ｐ上に打設され、布基礎１３３の成形，乾燥後に建屋１３０が建設される。
本実施例では、相隣る２つのプレキャストコンクリート基礎床版４５，４５の床版本体１ｐ，１ｐが、布基礎１３１の底版１３１ａよりも位置を拡げて配置されているため、建屋１３０の荷重が布基礎１３１を通してプレキャストコンクリート基礎床版４５，４５に作用した場合に、床版本体１ｐ，１ｐの底面１ｑ，１ｑの傾斜面１ｕ，１ｕが荷重を小さくバランスよく分散して支えるので、建屋１３０からの高荷重も安定して支持できる。
【００５３】
なお、図１３〜図２３で説明した各種施工例では、基礎地盤の上にプレキャストコンクリート基礎床版を設置するとしたが、構造物の荷重や基礎地盤の状況によっては、基礎地盤とプレキャストコンクリート基礎床版との間に破砕層を設けてもよい。
また、図２１，図２２と図２３の施工例では布基礎を用いたが、布基礎を省略してプレキャストコンクリート基礎床版の上に建屋（建物）を直接建設することもできる。これにより、布基礎を形成するためのコンクリートの打設や養生期間が不要となり、工期の大幅な短縮とコストダウンが図れる。
【図面の簡単な説明】
【００５４】
【図１】本発明の第１実施例を示すプレキャストコンクリート基礎床版の斜視図である。
【図２】本発明の第１実施例を示すプレキャストコンクリート基礎床版を中間省略した正面図である。
【図３】本発明の第１実施例を示すプレキャストコンクリート基礎床版の断面図である。
【図４】本発明の第１実施例を示す複数個のプレキャストコンクリート基礎床版を連結ボルトで並列及び直列に連結して地盤に設置した状態の平面図である。
【図５】本発明の第１実施例を示す図４のＶ−Ｖ断面図である。
【図６】本発明の第２実施例を示すＰＣ鋼材を用いてプレストレスを付与したプレキャストコンクリート基礎床版の斜視図である。
【図７】本発明の第２実施例を示すプレキャストコンクリート基礎床版の一部断面平面図である。
【図８】本発明の第３実施例を示すＰＣ鋼材を用いて２個のプレキャストコンクリート基礎床版を直列に連結した状態の斜視図である。
【図９】本発明の第４実施例を示すプレキャストコンクリート基礎床版の平面図である。
【図１０】本発明の第５実施例を示すプレキャストコンクリート基礎床版の平面図である。
【図１１】本発明の第６実施例を示すプレキャストコンクリート基礎床版の斜視図である。
【図１２】本発明の第６実施例を示すプレキャストコンクリート基礎床版の要部断面図である。
【図１３】第１実施例のプレキャストコンクリート基礎床版をカルバートボックスの施工に適用した断面正面図である。
【図１４】第１実施例のプレキャストコンクリート基礎床版をカルバートボックスの施工に適用した断面正面図である。
【図１５】第１実施例のプレキャストコンクリート基礎床版をカルバートボックスの施工に適用した断面正面図である。
【図１６】第１実施例のプレキャストコンクリート基礎床版をアーチカルバートの施工に適用した断面正面図である。
【図１７】第１実施例のプレキャストコンクリート基礎床版をアーチカルバートの施工に適用した断面正面図である。
【図１８】第１実施例のプレキャストコンクリート基礎床版をアーチカルバートの施工に適用した断面正面図である。
【図１９】第１実施例のプレキャストコンクリート基礎床版をＬ形プレキャスト擁壁の施工に適用した断面正面図である。
【図２０】第１実施例のプレキャストコンクリート基礎床版をＬ形プレキャスト擁壁の施工に適用した断面正面図である。
【図２１】第６実施例のプレキャストコンクリート基礎床版を建屋の施工に適用した断面正面図である。
【図２２】第６実施例のプレキャストコンクリート基礎床版を建屋の施工に適用した平面図である。
【図２３】第６実施例のプレキャストコンクリート基礎床版を建屋の施工に適用した断面図である。
【符号の説明】
【００５５】
１，１０，２０，３０，４０，４５…プレキャストコンクリート基礎床版
１ａ，１ｐ…床版本体
１ｂ，１ｒ…張り出し片
１ｃ…床版本体１ａの上面
１ｅ，１ｑ…床版本体１ａの底面
１ｇ…張り出し片１ｂの上面
１ｊ…張り出し片１ｂの底面
１ｋ，１ｕ…底面１ｅ，１ｑの傾斜面
１ｎ…他方の張り出し片
１ｖ…張り出し片１ｊ，１ｒの底面
３…コ字形のブラケット
４，５６，１３１…基礎地盤
５…連結手段
６…間詰め砕石用の空間部
７…間詰め砕石または砕石
１１，２１…ＰＣ鋼材
【図１】
2010007379.tif 000003
【図２】
2010007379.tif 000004
【図３】
2010007379.tif 000005
【図４】
2010007379.tif 000006
【図５】
2010007379.tif 000007
【図６】
2010007379.tif 000008
【図７】
2010007379.tif 000009
【図８】
2010007379.tif 000010
【図９】
2010007379.tif 000011
【図１０】
2010007379.tif 000012
【図１１】
2010007379.tif 000013
【図１２】
2010007379.tif 000014
【図１３】
2010007379.tif 000015
【図１４】
2010007379.tif 000016
【図１５】
2010007379.tif 000017
【図１６】
2010007379.tif 000018
【図１７】
2010007379.tif 000019
【図１８】
2010007379.tif 000020
【図１９】
2010007379.tif 000021
【図２０】
2010007379.tif 000022
【図２１】
2010007379.tif 000023
【図２２】
2010007379.tif 000024
【図２３】
2010007379.tif 000025